(57)【要約】【課題】幅広いコンテンツ提供者に対して料金回収代行サービスを提供する。【解決手段】移動端末１からのコンテンツプロバイダＳＣＰ７が提供するコンテンツの購入要求（ｃ）は、サーバー装置４に送られる。サーバー装置４では、データベース５を参照して、移動端末の識別子ＵＩＤに代えてＵＩＤとは独立に生成された第２の識別子ＳＵＩＤをＳＣＰ７に送り（ｉ）、ＳＣＰ７は要求されたコンテンツを移動端末１に送信する（ｊ，ｋ）。前記データベース５には、各ユーザーが特定ジャンルのコンテンツの購入を制限するか否かを示す情報も記憶されており、購入が制限されている場合に、要求されたコンテンツが特定ジャンルのものであるときは、そのコンテンツにアクセスできないようにする。【選択図】  図１
2005043994.tif 000002
【特許請求の範囲】
【請求項１】
移動体通信網とインターネットとを接続するゲートウエイ装置に接続されるサーバー装置であって、
移動端末から通知されるユーザー識別子と、該ユーザー識別子とは独立に生成される第２の識別子とを対応付けて記憶する記憶手段を備え
移動端末から、インターネットに接続されたコンテンツプロバイダにより提供されるコンテンツの購入要求が発生したときに、該購入要求を発した移動端末の前記ユーザー識別子に代えて、それに対応する前記第２の識別子を当該コンテンツプロバイダに通知する機能を有する
ことを特徴とするサーバー装置。
【請求項２】
移動体通信網とインターネットとを接続するゲートウエイ装置に接続されるサーバー装置であって、
インターネットに接続されたコンテンツプロバイダにより提供されるコンテンツが特定ジャンルに属するコンテンツであるか否かを記憶する記憶手段と、各移動端末のユーザーが特定ジャンルに属するコンテンツの購入を制限しているか否かを記憶する記憶手段とを備え
移動端末から、前記コンテンツプロバイダにより提供されるコンテンツの購入要求が発生したときに、該購入要求を発した移動端末のユーザーが前記特定ジャンルに属するコンテンツの購入を制限しているときは、その購入要求を当該コンテンツプロバイダに送らないようにする機能を有する
ことを特徴とするサーバー装置。
【発明の詳細な説明】
【０００１】
【発明の属する技術分野】
本発明は、携帯電話によるインターネット接続サービスに用いられるサーバー装置に関する。
【０００２】
【従来の技術】
従来、携帯電話によるインターネット接続サービス（以下、「携帯インターネット」という。）におけるデジタルコンテンツの料金は、通信キャリア（携帯電話会社）が完全に信頼することができるコンテンツ提供者（いわゆる公式サイト）の提供するデジタルコンテンツについては、通信キャリアがその料金の回収を代行するサービスを行っていた。
【０００３】
図７は、従来の公式サイト向けの情報料回収代行処理を行なうシステムを示す図である。
この図において、１１は移動端末（ＭＳ）、１２は移動体通信網、１３は移動体通信網１２とインターネット１４とを接続するゲートウエイ装置（ゲートウエイサーバー）、１４はインターネット、１５は公式サイトと呼ばれるコンテンツプロバイダ（ＣＰ）である。
ここで、前記ゲートウエイ装置１３は、ユーザーの認証と課金処理を行ない、さらに、公式サイトであるＣＰ１５から提供されるデジタルコンテンツの料金の回収代行の機能を有する。ここで、有料コンテンツには、毎月いくらの単位で課金する定額課金と、１回いくらの単位で課金する従量課金とがあり、定額課金の場合の有料会員の管理（登録と解除）、及び、従量課金の場合の購入の申込みの受付は前記ゲートウエイ装置１３で行われる。
【０００４】
このように構成されたシステムにおいて、ユーザーがデジタルコンテンツを提供しているＣＰ１５のサイトにアクセスすると（ａ）、ＣＰ１５からユーザーの移動端末１１にＣＰ１５の画面の情報が送られ（ｂ）、移動端末１１の表示部にＣＰ１５の画面が表示される。ユーザーがその画面をみて、コンテンツを購入するために購入ボタンを押すと（ｃ）、ゲートウエイ装置１３から移動端末１１に暗証番号入力画面が送られる（ｄ）。ユーザーが移動端末１１で暗証番号を入力すると（ｅ）、ゲートウエイ装置１３は、ユーザーの認証を行ない、認証結果がＯＫであることを示すデータを、ユーザーを識別する識別子（ＵＩＤ）及びそのコンテンツを識別する識別子（ＳＩＤ）とともに、ＣＰ１５に送信する（ｆ）。ＣＰ１５は、ゲートウエイ装置１３からのその認証ＯＫの情報を受けて、対応するコンテンツをユーザーの移動端末１１に送信する（ｇ）。
このようにしてユーザーが購入したコンテンツの料金は、ゲートウエイ装置１３で取得した情報（コンテンツプロバイダ名及びコンテンツ名など）に基づいて通信キャリアが通話料に合算して請求するようになされていた。
【０００５】
このように、従来の料金回収代行サービスにおいては、ユーザーを識別する識別子（ＵＩＤ）をコンテンツ提供者にそのまま通知する運営が行なわれていた。すなわち、通信キャリアが「重要な個人情報である携帯電話番号に変換することができる識別子」を個人の識別子として、コンテンツ提供者に通知していた。
また、通信キャリアの基準により選択された、限られたコンテンツ提供者のみがコンテンツの提供を行うことができたため、いわゆる「青少年に悪影響を与えるコンテンツジャンル」について考慮する必要がなかった。
すなわち、これまでの携帯インターネットにおいては、いわゆる「公式サイト」という考え方があり、この枠組みの範囲にないコンテンツに対して、通信キャリアは回収代行の仕組みを提供していなかったため、上述のような事項は問題になっていなかった。
【０００６】
【発明が解決しようとする課題】
近年、携帯インターネットにおけるコンテンツ提供者が増加するにしたがい、携帯インターネットにおけるデジタルコンテンツの料金の回収を通信キャリアが代行する仕組みを、いわゆる公式サイト以外の幅広いコンテンツ提供者に開放することが求められている。
しかしながら、通信キャリアが、携帯インターネットにおけるデジタルコンテツの課金方式を幅広いコンテンツ提供者に開放するにあたっては、「個人情報としての価値がない識別子による個人認証」や「指定したジャンルのコンテンツを指定したユーザーに見られなくする機能」に対する配慮が必要となる。
【０００７】
そこで本発明は、携帯インターネットにおけるデジタルコンテンツの回収代行の仕組みを幅広いコンテンツ提供者に対して開放することを可能とするサーバー装置を提供することを目的としている。
【０００８】
【課題を解決するための手段】
上記目的を達成するために、本発明のサーバー装置は、移動体通信網とインターネットとを接続するゲートウエイ装置に接続されるサーバー装置であって、移動端末から通知されるユーザー識別子と、該ユーザー識別子とは独立に生成される第２の識別子とを対応付けて記憶する記憶手段を備え、移動端末から、インターネットに接続されたコンテンツプロバイダにより提供されるコンテンツの購入要求が発生したときに、該購入要求を発した移動端末の前記ユーザー識別子に代えて、それに対応する前記第２の識別子を当該コンテンツプロバイダに通知する機能を有するものである。
また、本発明の他のサーバー装置は、移動体通信網とインターネットとを接続するゲートウエイ装置に接続されるサーバー装置であって、インターネットに接続されたコンテンツプロバイダにより提供されるコンテンツが特定ジャンルに属するコンテンツであるか否かを記憶する記憶手段と、各移動端末のユーザーが特定ジャンルに属するコンテンツの購入を制限しているか否かを記憶する記憶手段とを備え、移動端末から、前記コンテンツプロバイダにより提供されるコンテンツの購入要求が発生したときに、該購入要求を発した移動端末のユーザーが前記特定ジャンルに属するコンテンツの購入を制限しているときは、その購入要求を当該コンテンツプロバイダに送らないようにする機能を有するものである。
【０００９】
【発明の実施の形態】
図１は、本発明のサーバー装置を有する携帯インターネットシステムの全体構成を示す図である。
この図において、１は携帯電話機などの移動端末（ＭＳ）、２は移動体通信網、３は移動体通信網２とインターネット６とを接続するゲートウエイ装置（ゲートウエイサーバー）、４は前記ゲートウエイ装置３及びインターネット６に接続された本発明のサーバー装置、５は該サーバー装置４に設けられ、ユーザーやコンテンツに関する情報を格納するデータベース、６はインターネット、７は通信キャリアに対して料金の回収代行を依頼しているコンテンツプロバイダ（以下、「ＳＣＰ」と呼ぶ。）である。
ここで、前記ゲートウエイ装置３は、前記図７におけるゲートウエイ装置１３と同様に、ユーザーの認証を行うとともに課金のためのデータの収集を行うものである。
また、前記コンテンツプロバイダＳＣＰ７は、あらかじめ通信キャリアに対して料金の回収代行サービスを利用する旨の申込みを行っているものとする。そして、このサービスの申込みに応じて、通信キャリアからコンテンツプロバイダＳＣＰ７に対し、料金回収代行サービスにおけるコンテンツプロバイダの識別子（ＣＰＩ：Ｃｏｎｔｅｎｔｓ  Ｐｒｏｖｉｄｅｒ  ＩＤ）及び提供される各コンテンツの識別子（ＣＣＩ：Ｃｏｎｔｅｎｔｓ  ｐｒｏｖｉｄｅｒ  Ｃｏｎｔｅｎｔｓ  ＩＤ）が通知されているものとする。
【００１０】
このように構成された本発明のシステムの動作の概要について説明する。
ユーザーがＳＣＰ７のサイトにアクセスすると（ａ）、前述の場合と同様に、ＳＣＰ７から移動端末１にＳＣＰ７の画面の情報が送られ（ｂ）、移動端末１の表示部にＳＣＰ７の画面が表示される。このＳＣＰ７の画面の情報には、そのＳＣＰ７の識別子（ＣＰＩ）と提供されるコンテンツの識別子（ＣＣＩ）の情報が含まれている。
ユーザーがその画面をみて、購入ボタンを押すなどのコンテンツを購入するための操作を行うと（ｃ）、そのＳＣＰ７の識別子（ＣＰＩ）及びそのコンテンツの識別子（ＣＣＩ）が、ゲートウエイ装置３を介してサーバー装置４に送られる。
サーバー装置４は、前記データベース５を参照して、送られてきたＣＰＩ及びＣＣＩを、ゲートウエイ装置３の体系におけるそれぞれ対応するコンテンツプロバイダの識別子ＰＩＤ及びコンテンツの識別子ＳＩＤに変換し、ゲートウエイ３がユーザー認証を行なうための情報を作成する。そして、ユーザーにこの情報を含んだ応答（ｄ）を返す。
【００１１】
ユーザーが（ｄ）の応答を受けて、ゲートウエイ３にユーザー認証を要求する（ｅ）とゲートウエイ３からユーザーに対して暗証番号の入力を促す画面を応答（ｆ）する。これを受けたユーザーは暗証番号を入力し、ゲートウエイ３に応答（ｇ）する。
ゲートウエイ３では、入力された暗証番号を確認し、問題がなければサーバー装置４に対して有料コンテンツを要求（ｈ）する。
サーバー装置４は、そのユーザーに関する情報が前記データベース５に格納されているか否かを判定し、格納されていないときには、新たなユーザー識別子（第２の識別子、以下、「ＳＵＩＤ」という。）をＵＩＤとは独立に生成し、該ＳＵＩＤをそのユーザーのＵＩＤと対応付けて記憶する。
そして、サーバー装置４は、ゲートウエイ装置３からの認証ＯＫのデータと、前記第２の識別子（ＳＵＩＤ）及び前記コンテンツ識別子（ＣＣＩ）をＳＣＰ７に送り（ｉ）、ＳＣＰ７は、その情報を受けて対応するコンテンツをサーバー装置４に送信する（ｊ）。
サーバー装置４は、ＳＣＰ７からのコンテンツをユーザーの移動端末１に送信する（ｋ）と同時に、ユーザーがそのコンテンツを購入していることを前記データベース５に記録する。
【００１２】
これにより、前記ゲートウエイ装置３及び前記サーバー装置４を管理する通信キャリアは、前記データベース５に記録されたコンテンツの購入情報に基づいてＳＣＰ７により提供されるコンテンツの料金を、ゲートウエイ装置３で取得した情報に基づく通話料や通信料に合算して請求することができる。なお、ゲートウエイ装置３では、本システムによる料金回収代行の対象となっているＳＣＰ７以外にも通信キャリア自体が提供しているコンテンツやいわゆる公式サイトなどにより提供されるコンテンツなどに対する課金も行うものであり、これらを含めて総合的に付与された識別子であるＰＩＤ及びＳＩＤを用いて管理するようにしている。
なお、コンテンツプロバイダＳＣＰ７に通知されるユーザーを識別する第２の識別子ＳＵＩＤは、ユーザー識別子ＵＩＤと１対１に対応付けられているが、ＵＩＤあるいは携帯電話番号とは独立に生成されたものであるので、それに基づいて携帯電話番号などの個人を特定することが不可能であり、ユーザーのプライバシーを保護することができる。
【００１３】
また、前記データベース５中には各ユーザーごとに、そのユーザーが特定ジャンルに属するコンテンツの購入制限をするか否かを示す情報と各コンテンツが特定ジャンルに属するか否かを示す情報が記憶されている。ユーザーがコンテンツを購入しようとした場合、前記データベース５上の情報を参照し、ユーザーが特定ジャンルのコンテンツの購入を制限しており、かつ、アクセスしようとしているコンテンツが特定ジャンルのコンテンツとして登録されている場合、該当ユーザーにそのコンテンツにアクセスさせないように動作する。
【００１４】
前記データベース５に格納されている各種情報について図２を参照して説明する。前記データベース５には、（ａ）ユーザー情報を格納するデータベース（ユーザーデータベース）、（ｂ）コンテンツの登録情報を管理するデータベース（コンテンツユーザーマスター）、及び、（ｃ）コンテンツを管理するデータベース（コンテンツデータベース）の３種類のデータベースが含まれている。
【００１５】
（ａ）ユーザー情報を格納するデータベース（ユーザーデータベース）は、ユーザーの属性情報を格納するデータベースである。図示するように、このユーザーデータベースには、ユーザー識別子（ＵＩＤ）、該ＵＩＤに対応する第２の識別子（ＳＵＩＤ）、そのユーザーが特定コンテンツの購入制限を設定しているか否かを示す情報、及び、そのユーザーのフロアリミット（購入制限額，承認要求を必要とする金額）等の情報が格納されている。
前述のように、サーバー装置４に対してコンテンツの購入の要求があると、このユーザー情報を格納するデータベースに該当のＵＩＤに対する情報が存在するか否かが確認され、存在しないときは、そのユーザーははじめてＳＣＰ７の提供する有料コンテンツにアクセスするものと判定される。そして、そのＵＩＤに対応する第２の識別子（ＳＵＩＤ）が新規に生成される。なお、このＳＵＩＤの生成アルゴリズムは、ＵＩＤをキーとするものではなく、ＵＩＤとは独立に生成されるものである。これにより、ＳＵＩＤからＵＩＤを推定することができないようになされている。
【００１６】
ユーザーが青少年の健全な育成という観点から問題のあるジャンル（特定ジャンル）のコンテンツについては閲覧を拒否する場合には、あらかじめ申告することで特定コンテンツの購入を制限することができる。
このような処理を希望する場合、ユーザーは、前記サーバー装置４にアクセスし、このユーザーデータベースにおける特定ジャンルのコンテンツの購入を希望するか、しないかという項目を設定することができる。この場合に、パスワードをつけて状態を変更するようにしているため、盗難にあった携帯電話でアクセスしてもパスワードを知らなければ設定を変更できない。また、このパスワードは、携帯電話についたパスワードとは異なるパスワードを設定するようにしているため、保護者が設定しておいて、携帯電話の利用者本人には購入制限の設定を変更させないようなこともできる。
【００１７】
（ｂ）コンテンツの登録情報を管理するデータベース（コンテンツユーザーマスター）には、サーバー装置４内で管理されているユーザーがどの有料コンテンツの登録をしているかというデータが格納されている。
すなわち、図示するように、各ＳＵＩＤごとに、そのユーザーが会員登録しているコンテンツの識別子（ＣＣＩ）と該ＣＣＩに対応するゲートウエイ装置３の体系によるコンテンツの識別子ＳＩＤが記録されている。複数のコンテンツを会員登録しているときには、それらのコンテンツのＣＣＩ及びＳＩＤが順次格納される。
【００１８】
（ｃ）コンテンツを管理するデータベース（コンテンツデータベース）は、コンテンツの属性情報を格納するデータベースであり、例えば、提供されるコンテンツが特定ジャンルのコンテンツなのか等の情報が格納されている。
すなわち、図示するように、各コンテンツの識別子ＳＩＤ及びＣＣＩごとに、そのコンテンツ名、そのコンテンツを提供するコンテンツプロバイダの識別子（ＣＰＩ及びＰＩＤ）、そのコンテンツが特定ジャンルのコンテンツ（特定コンテンツ）であるか否かを示す情報などが格納されている。
前述のように、コンテンツプロバイダＳＣＰ７が通信キャリアに対して料金の回収代行を依頼するときに、その提供するコンテンツを通信キャリアに通知するようになされており、このコンテンツデータベースはその通知内容により作成される。
なお、上述した（ａ）〜（ｃ）の各データベースの他に、料金回収代行システムの体系におけるコンテンツプロバイダＳＣＰ７の識別子（ＣＰＩ）と前記ゲートウエイ装置３の体系におけるコンテンツプロバイダＳＣＰ７の識別子（ＰＩＤ）との対応関係を記録した情報もこのデータベース５中に格納されている。
【００１９】
有料コンテンツには、定額課金型と従量課金型の２種類の課金方法が存在している。以下、これらの各場合における処理の流れについて詳細に説明する。
（１）定額課金型
定額課金型は、期間毎に課金が発生する有料コンテンツ提供方法である。例えば、ユーザーが１００円／月程度の料金を通話料と合算して払うことで、有料コンテンツを取得することができる。
このような定額課金型有料コンテンツの購入について、「申し込み」、「閲覧」及び「登録解除」の各場合に分けて説明する。
【００２０】
（１ａ）定額課金申し込み
図３は、定額課金型のコンテンツの購入が申し込まれた場合の処理の流れを示すシーケンス図である。
図３に示すように、ユーザーがコンテンツプロバイダＳＣＰ７のサイトにアクセスし、会員登録をするコンテンツを選択すると、ＳＣＰ７は、ユーザーの移動端末１に対して、支払手段を選択する画面の情報を送る。この画面の情報中には、通信キャリアによる料金回収代行サービスを申し込んだときに付与されたＳＣＰ７の識別子ＣＰＩとそのコンテンツの識別子ＣＣＩ、ＳＣＰ７がその取引に一意に割り当てた識別子ＣＴＩ（Ｃｏｎｔｅｎｔｓ  ｐｒｏｖｉｄｅｒ  Ｔｒａｎｓａｃｔｉｏｎ  ＩＤ）、ゲートウエイ装置３に対して有料コンテンツの利用可否を問い合わせた結果が利用可（ＯＫ）であるときに、コンテンツのダウンロード元（ＳＣＰ７のサイトの会員用のトップページなど）を指定するＵＲＬ（Ｕｎｉｆｏｒｍ  Ｒｅｓｏｕｒｃｅ  Ｌｏｃａｔｏｒ）を示すＯＬ（ＯＫ  ＵＲＬ）などの情報が含まれている。なお、前記ＯＬに含まれるＵＲＬにＳＣＰ７独自の付加情報を付けた場合、その情報がそのまま引き継がれるため、セッション管理などを希望するＳＣＰ７はこの機能を利用することができる。
【００２１】
支払手段選択画面が表示された移動端末１において、ユーザーが支払手段として通信キャリアによる代金回収代行サービスを選択すると、▲１▼定額有料情報リクエストが前記ゲートウエイ装置３を介してサーバー装置４に送られる。この▲１▼定額有料情報リクエストには、前記ＳＣＰ７からの情報に含まれているＣＰＩ，ＣＣＩ，ＣＴＩ，ＯＬ及び付加情報などの情報が含まれている。
該▲１▼定額有料情報リクエストを受け取ったサーバー装置４は、前記ＳＣＰ７の識別子ＣＰＩを前記ゲートウエイ装置３の体系におけるＳＣＰ７の識別子ＰＩＤに、前記コンテンツ識別子ＣＣＩを前記ゲートウエイ装置３の体系におけるコンテンツ識別子ＳＩＤにそれぞれ変換する。
また、サーバー装置４は、ゲートウエイ装置３に対してＣＯＮＦＯＮ要求へのリンクを有するページを作成し、移動端末１へ送信する。ＣＯＮＦＯＮ要求は、定額課金の場合の有料会員の管理を行うゲートウエイ装置３に対して会員の申込みを行うメッセージである。なお、会員の解除はＣＯＮＦＯＦＦ要求により行われる。また、従量課金の場合には、ＣＯＮＦＯＮ要求のみが行われることとなる。このＣＯＮＦＯＮ要求へのリンクを有するページの情報の中には、前記ゲートウエイ装置３の体系におけるコンテンツ識別子ＳＩＤも含まれている。
さらに、サーバー装置４は、該有料会員登録に関する処理において移動端末１から暗証番号が入力されたときのリダイレクト先となるページ（ｎｌで指定されるページ）を作成しておく。このページは、サーバー装置４内に準備される。
【００２２】
前記サーバー装置４からのＣＯＮＦＯＮ要求へのリンクのあるページの応答により、移動端末１に有料会員登録要求画面が表示される。このＣＯＮＦＯＮ要求へのリンクがあるページの情報には、コンテンツ識別子ＳＩＤ，ｎｌで指定するページのＵＲＬなどの情報が含まれている。
移動端末１に表示された有料会員登録要求画面を用いてユーザーが有料会員登録要求を行なうと、▲２▼ＣＯＮＦＯＮ要求がゲートウエイ装置３に送られる。この▲２▼ＣＯＮＦＯＮ要求には、ＵＩＤの送出要求，ＳＩＤ，ｎｌで指定するページのＵＲＬなどのパラメータが含まれている。
【００２３】
ゲートウエイ装置３は、▲２▼ＣＯＮＦＯＮ要求に応じて、暗証番号入力画面をユーザーの移動端末１に返す。この画面には、図示するように、有料情報登録パスワードを入力する領域と、ＯＫ／キャンセルを選択するボタン領域が表示される。
ユーザーが、有料情報登録パスワード（暗証番号）を入力し、「ＯＫ」をクリックすると、該暗証番号がゲートウエイ装置３に送られる。ゲートウエイ装置３は、該暗証番号に基づいて、そのユーザーを認証する。そして、リダイレクト先を確認した上で、前記サーバー装置４に対して、▲３▼ｎｌで指定されたページを要求する。このとき、ＵＩＤ，ＳＩＤ，認証可否情報（ここでは成功）及びセッション情報が送られる。
【００２４】
これを受けたサーバー装置４では、そのユーザーのユーザー登録を行ない、特定ジャンルコンテンツであるか否かのチェックを行い、取引データを作成する。すなわち、前記（ａ）ユーザー情報を格納するデータベース（ユーザーデータベース）内に、送られたＵＩＤが存在しないときはＵＩＤに対応する第２の識別子（ＳＵＩＤ）を新たに生成して、ユーザーデータベースを更新する。
また、そのユーザーが特定ジャンルコンテンツの購入制限を行っている場合には、ＳＩＤをキーとして（ｃ）コンテンツデータベースを参照して、その制限に該当するか否かを判定する。その結果、購入要求のあったコンテンツが特定ジャンルのコンテンツであった場合には、前記ユーザーに対してコンテンツの購入が不可であることを示すページを送信して、処理を終了する。
特定ジャンルのコンテンツでないときは、（ｂ）コンテンツユーザーマスターにそのユーザー（ＳＵＩＤ）のレコードを作成する。
そして、ＳＣＰ７に対して、▲４▼ＯＬで指定されたページを要求する。このとき、ＣＰＩ，ＣＣＩ，ＣＴＩ，ＳＵＩＤ及び前述した付加情報を指定する。
【００２５】
これを受信したＳＣＰ７では、そのユーザーのＳＣＰ７におけるＩＤ（ＳＵＩＤ）やパスワードの生成処理などの初期処理を行ない、ＳＣＰ７が提供する有料コンテンツの▲５▼トップページを前記サーバー装置４に送信する。
サーバー装置４では、これを受けてコンテンツユーザーマスターの更新、すなわち、コンテンツユーザーマスターのこのユーザーのレコードにそのコンテンツのＣＣＩ及びＳＩＤを記録する。これにより、サーバー装置４での課金のためのデータが登録されたこととなる。そして、サーバー装置４は、該ＳＣＰ７から送られたトップページを、前記ゲートウエイ装置３を介して、前記ユーザーに送信する。これにより、ユーザーの移動端末１上に、ＳＣＰ７のトップページが表示されることとなる。このとき、ゲートウエイ装置３での課金のための登録が行われる。
【００２６】
（１ｂ）定額課金閲覧
次に、上述のようにして、ＳＣＰ７の有料コンテンツに対する申込みを行なったユーザーが、有料コンテンツにアクセスする（閲覧する）場合のフローについて、図４を参照して説明する。
図４において、ユーザーがＳＣＰ７に対して有料コンテンツの閲覧を申し込むと、ＳＣＰ７は、そのアクセスが適当でない（すなわち、正しいセッション情報を引き継いでいない）場合は、ＣＰＩ，ＣＣＩ及びＯＬを付けて▲１▼会員確認要求へのリダイレクトを行い、ゲートウエイ装置３からサーバー装置４に対して会員確認要求が送られる。これにより、サーバー装置４から移動端末１に会員確認要求ページが送られ、移動端末１に会員のサーバー装置への登録状態を確認するページ（登録確認要求画面）が表示される。ユーザーがこのページにあるリンクを選択すると、サーバー装置４にＣＰＩ，ＣＣＩ，ＯＬとＵＩＤの送出要求をパラメータとして、▲２▼有料ページアクセス可否問い合わせを行う。
【００２７】
該問い合わせを受信したサーバー装置４は、データベース５中のユーザーコンテンツマスターを検索し、有料コンテンツへのアクセス権限をチェックする。その結果、問題がなければ、ＣＰＩ，ＣＣＩ，ＳＵＩＤと付加情報をパラメータとして▲３▼ＯＬへリダイレクトし、ゲートウエイ装置３を介してＳＣＰ７上のＯＬへアクセスされる。ＯＬは、前記▲１▼▲２▼で指定されている。なお、このＯＬはＳＣＰ７への制限事項としてこれ以上のリダイレクトを禁止とする。ここで、ＳＣＰ７にアクセスする場合の処理に、ＳＵＩＤを使用している。
【００２８】
ＳＣＰ７が適当な要求であると判定すると、そのＳＣＰ７はそのセッションの管理を開始する。そして、有料ページ（＃１）をユーザーへの応答として返し、ユーザーの移動端末１に有料ページ＃１が表示される。そして、ユーザーから別の有料ページ（＃２）の要求があったときは、ＳＣＰ７はその要求がセッション内のアクセスであると判断したときは、その有料ページ（＃２）を応答として返し、移動端末１には該有料ページ（＃２）が表示される。以下、同様にそのセッションが実行される。
【００２９】
このように、有料コンテンツに対する閲覧要求があったときに、ＳＣＰ７から会員確認要求があったときは、アクセスしてきた移動端末のＵＩＤがサーバー装置４の（ａ）ユーザーデータベースに格納されているものであるか否かを確認し、格納されている場合には、ＵＩＤに対応するＳＵＩＤをキーとして、（ｂ）コンテンツユーザーマスターを検索して、有効な会員登録の情報があるか否かを判定している。なお、有効な会員登録の情報がない場合には、ＳＣＰ７に対してなにも通知しないようにしている。
【００３０】
（１ｃ）定額課金登録解除
次に、ＳＣＰ７の有料コンテンツに対する申し込みを行なったユーザーが、その有料コンテンツに対する登録を解除する場合のシステムフローを図５に示す。この処理は、前記図３に示した定額課金申込みの場合と比較してＣＯＮＦＯＮがＣＯＮＯＦＦとなっている点で異なっているが、基本的な処理の流れは図３の場合と同様である。
ユーザーＳＣＰ７のサイトで登録を解除するコンテンツを決定すると、ＳＣＰ７は支払手段選択画面をユーザーに送り、ユーザー端末に支払手段選択画面が表示される。ユーザーが登録の解除を選択すると、ＣＰＩ（ＳＣＰ７のＩＤ）とＣＣＩ（そのコンテンツのＩＤ）とを含む▲１▼定額有料情報解除リクエストが、サーバー装置４に送られる。
サーバー装置４では、ＣＰＩをＰＩＤに、ＣＣＩをＳＩＤにそれぞれ変換し、ＣＯＮＦＯＦＦ（有料コンテンツの解除要求）へのリンクがあるページを作成するとともに、ｎｌで指定するページを作成する。そして、該作成したＣＯＮＦＯＦＦへのリンクがあるページを移動端末１に返す。これにより、移動端末１に有料会員解除要求を送ることができる画面が表示され、ユーザーがその解除要求を送る操作をすると、▲２▼ＣＯＮＦＯＦＦ要求がゲートウエイ装置３に送られる。このＣＯＮＦＯＦＦ要求には、ＵＩＤの送出要求，ＳＩＤ，ｎｌページのＵＲＬなどが含まれている。
【００３１】
ゲートウエイ装置３は、▲２▼ＣＯＮＦＯＦＦ要求を受け取ると、移動端末１に対し、有料情報解除のためのパスワード入力画面を送信する。ユーザーがこの画面を用いて暗証番号を入力すると、該暗証番号はゲートウエイ装置３に送られ、ゲートウエイ装置３は、リダイレクト先の確認を行なう。このとき、ゲートウエイ装置３での解約処理も行なわれる。そして、サーバー装置４に対し、▲３▼ｎｌで指定されたページを要求する（リダイレクトする）。このとき、ＵＩＤ，ＳＩＤ及び認証可否情報（ここでは成功）がサーバー装置４に渡される。
サーバー装置４は、この情報に基づいて（ｂ）ユーザーコンテンツマスターを更新し、移動端末１に対して解除完了を示す解除完了ページを送信する。このとき、サーバー装置４での課金のためのデータが解除される。そして、サーバー装置４は、ＳＣＰ７に対し、ＣＰＩ，ＣＣＩ，ＣＴＩ，ＳＵＩＤを含む▲４▼解除通知を送る。これを受けて、ＳＣＰ７では、そのユーザーのＩＤ（ＳＵＩＤ）やパスワードを消去するなどの終了処理を行ない、サーバー装置４に対して解除通知応答を返す。なお、ここで、先にサーバー装置４での課金データを解除してから、ＳＣＰ７に解除したことを通知する▲４▼解除通知を送っている。この通知は、ユーザーのアクセスとは非同期に行なわれ、ＳＣＰ７からの解除通知応答がなければ、一定時間（例えば、１時間）おきに一定回数（例えば、３回）リトライされる。
以上が定額課金の登録（申込み）解除処理のフローである。
【００３２】
（２）従量課金型
図６は、ユーザーがＳＣＰ７のコンテンツを見て、従量課金型のコンテンツを購入する場合のシステムフローを示す図である。
▲１▼定額有料情報リクエスト〜▲３▼ｎｌで指定されたページの要求までのフローは、前記図３に示した定額課金の申込みの場合と同様であるので、説明を省略する。
ＵＩＤ，ＳＩＤ及び認証可否情報（ここでは成功）とともに▲３▼ｎｌで指定されたページの要求があったとき、サーバー装置４は、前記図３の場合と同様に、そのユーザーのユーザー登録を行うとともに、そのユーザーについてのフロアリミットチェック（申込みのあったコンテンツの対価がそのユーザーの購入制限額を超えているか否かのチェック）を行い、取引可のときは、（ｂ）コンテンツユーザーマスターにそのユーザーのレコード（取引データ）を作成する。そして、前記ＳＣＰ７に対し、ＣＰＩ，ＣＣＩ，ＣＴＩ，ＳＵＩＤ及び前述した付加情報を指定して▲４▼ＯＬで指定されたページを要求する。
これに対し、ＳＣＰ７から対応するコンテンツ表示ページが応答されると、サーバー装置４は、前述した特定ジャンルコンテンツチェック、すなわち、ユーザーが特定ジャンルコンテンツの購入制限を行っており、かつ、そのコンテンツが特定ジャンルに属するものであるか否かをチェックし、その結果、問題ないときは、そのユーザーの取引データを更新する。これにより、サーバー装置４での課金データが登録されたこととなる。
そして、前記コンテンツ表示ページの情報を前記ゲートウエイ装置３を介して移動端末１に送る。これにより、移動端末１にＳＣＰ７のコンテンツ表示ページが表示されることとなる。ユーザーが該コンテンツ表示ページに基づいてそのコンテンツを要求すると、該要求はゲートウエイ装置３を介してＳＣＰ７に送られ、当該コンテンツがＳＣＰ７からゲートウエイ装置３を介して移動端末１に送られる。そして、移動端末１からゲートウエイ装置３にそのコンテンツの転送完了通知が送られると、ゲートウエイ装置３では、そのコンテンツのデータ転送にともなう通信料の課金データを登録する。
以上が、従量課金の場合の購入シーケンスである。
【００３３】
【発明の効果】
以上説明したように、本発明のサーバー装置によれば、携帯電話番号を特定される可能性のあるユーザー識別子ＵＩＤを、ゲートウエイ装置３とサーバー装置４での利用に限定し、ＳＣＰ７に通知しないようにしているため、重要な個人情報である電話番号を隠したまま、デジタルコンテンツの提供において利用可能なユーザー識別子を提供することが可能となる。
また、通信キャリアがあらかじめ指定したジャンルのコンテンツについて、ユーザー単位に購入可／不可を設定できる機能を提供することができる。
この結果、通信キャリアは、完全に信頼できるコンテンツ提供者のみでなく、幅広いコンテンツ提供者に対して、デジタルコンテンツの料金の回収代行の仕組みを提供することが可能となる。
【図面の簡単な説明】
【図１】本発明のサーバー装置を有する携帯インターネットシステムの概略構成を示す図である。
【図２】データベース５に格納されている各データベースを示す図であり、（ａ）はユーザーデータベース、（ｂ）はコンテンツユーザーマスター、（ｃ）はコンテンツデータベースの記録内容を示す図である。
【図３】定額課金の場合におけるコンテンツ購入時の処理を示すシーケンス図である。
【図４】定額課金の場合におけるコンテンツ閲覧時の処理を示すシーケンス図である。
【図５】定額課金の場合におけるコンテンツ購入解除の処理を示すシーケンス図である。
【図６】従量課金の場合におけるコンテンツ購入申込みの処理を示すシーケンス図である。
【図７】従来の携帯インターネットシステムの概略構成を示す図である。
【符号の説明】
１：移動端末、２：移動体通信網、３：ゲートウエイ装置、４：サーバー装置、５：データベース、６：インターネット、７：コンテンツプロバイダ
【図１】
2005043994.tif 000003
【図２】
2005043994.tif 000004
【図３】
2005043994.tif 000005
【図４】
2005043994.tif 000006
【図５】
2005043994.tif 000007
【図６】
2005043994.tif 000008
【図７】
2005043994.tif 000009